(57)【特許請求の範囲】
【請求項１】
タンディッシュ内底部のノズル上面位置に配設され、前記タンディッシュ内に所定量の溶鋼が注入された際に作用する浮力により浮上して前記ノズルへの溶鋼の流入開始を許容する筒状のノズルストッパーにおいて、
前記タンディッシュ内に注入された溶鋼の湯面の上方に位置する外周部分に開口部を設け、且つ、上端開口を閉塞する閉塞部を備えたことを特徴とするノズルストッパー。
【発明の詳細な説明】
【０００１】
【発明の属する技術分野】
本発明は、連続鋳造用タンディッシュ内底部のノズル上面位置に配設されるノズルストッパーに関する。
【０００２】
【従来の技術】
図３を参照して、取鍋等からタンディッシュ１内に注入された溶鋼はタンディッシュ１の底部に設けられたノズル２を経てモールド３に注出されるが、タンディッシュ１に溶鋼を注入する前及びタンディッシュ１に溶鋼を注入する時においては、それぞれ次のことを行う必要がある。
【０００３】
即ち、タンディッシュ１に溶鋼を注入する前においては、タンディッシュ１内に溶鋼を注入した際にタンディッシュ１の内壁を構成する耐火物１ａによる溶鋼からの抜熱により、溶鋼が凝固してノズル２が詰まるのを防止するために、タンディッシュ１及びノズル２を十分に乾燥・予熱しておく必要がある。
【０００４】
一方、タンディッシュ１内に溶鋼を注入する時には、溶鋼がノズル２を通過する際に該溶鋼の急激な温度降下が起こってノズル２が詰まることがあるため、タンディッシュ１内に十分な量の溶鋼を貯えてノズル２が詰まらない程度の高温の溶鋼になった後にノズル２への溶鋼の流出を開始させる必要がある。
【０００５】
これらの要求を満足する従来技術としては、例えば特開昭５４−１２４８２８号公報に記載のノズルストッパー５が知られている。
ノズルストッパー５は耐火物等で筒状に形成されたものであり、タンディッシュ１内底部のノズル２の上面位置にモルタルＭ等によって仮止めされている。
【０００６】
そして、タンディッシュ１内に溶鋼を注入する前にタンディッシュカバー６に取り付けられたバーナ７を燃焼させることにより、その燃焼ガスによってタンディッシュ１を予熱すると共にノズルストッパー５の中心穴５ａを介してノズル２から燃焼排ガスを排出することにより該ノズル２を予熱し、また、タンディッシュ１内に溶鋼を注入する時には、タンディッシュ１内に十分な量の溶鋼が注入された際にノズルストッパー５に作用する浮力がモルタルＭの接合強度及びノズルストッパー５の重量に打ち勝つようにし、これにより、ノズルストッパー５を浮上させてノズル２の上面開口を開き、該ノズル２への溶鋼の流入を開始する。
【０００７】
また、特開平１−２６６９５１号公報に記載のノズルストッパーは、鋼製のものが使用されている。
【０００８】
【発明が解決しようとする課題】
しかしながら、上記従来のノズルストッパー５においては、バーナ７の燃焼ガスによってタンディッシュ１及びノズル２を予熱する際に、ノズルストッパー５の上端開口からノズル２内にゴミや埃等が侵入してノズル２に詰まりが発生するという不都合がある。
【０００９】
本発明はかかる不都合を解消するためになされたものであり、タンディッシュ及びノズルを予熱する際に該ノズルが詰まるのを防止することができるノズルストッパーを提供することを目的とする。
【００１０】
【課題を解決するための手段】
かかる目的を達成するために、本発明に係るノズルストッパーは、タンディッシュ内底部のノズル上面位置に配設され、前記タンディッシュ内に所定量の溶鋼が注入された際に作用する浮力により浮上して前記ノズルへの溶鋼の流入開始を許容する筒状のノズルストッパーにおいて、
前記タンディッシュ内に注入された溶鋼の湯面の上方に位置する外周部分に開口部を設け、且つ、上端開口を閉塞する閉塞部を備えたことを特徴とする。
【００１１】
【発明の実施の形態】
以下、本発明の実施の形態の一例を図を参照して説明する。図１は本発明の実施の形態の一例であるノズルストッパーを説明するための説明的断面図、図２はノズルストッパーの変形例を説明するための説明的断面図である。なお、この実施の形態では、図３に示すノズルストッパー５をノズルストッパー１０に代えた点のみが相違するため、重複する部分については一部の図示を省略すると共に図に同一符号を付してその説明を省略する。
【００１２】
図１に示すように、このノズルストッパー１０は耐火物等で筒状に形成されたものであり、タンディッシュ１内底部のノズル２の上面位置にモルタルＭ等によって仮止めされている。ノズルストッパー１０の上端部にはフランジ１１が形成されており、該フランジの下方に位置する外周部分には四角形状の開口部１２が周方向に等間隔で４か所形成されている。開口部１２は、タンディッシュ１内に注入された溶鋼の湯面の上方位置、即ち、溶鋼が侵入しない高さに配置されている。また、ノズルストッパー１０の上端開口は傘部（閉塞部）１３によって閉塞されている。なお、ノズルストッパー１０の下端は、後述する浮上を確実にすべく、エッジ状に形成して断面積を小さくし、モルタルＭの接合強度のばらつきを抑えるようにするのが好ましい。
【００１３】
そして、タンディッシュ１内に溶鋼を注入する前にタンディッシュカバー６に取り付けられたバーナ７を燃焼させることにより、その燃焼ガスによってタンディッシュ１を予熱すると共にノズルストッパー１０の開口部１２から侵入した燃焼ガスによってノズル２を予熱する。
【００１４】
また、タンディッシュ１内に溶鋼を注入する時には、タンディッシュ１内に十分な量の溶鋼が注入された際にノズルストッパー１０に作用する浮力がモルタルＭの接合強度及びノズルストッパー１０の重量に打ち勝つようにし、これにより、該ノズルストッパー１０を浮上させてノズル２の上面開口を開き、該ノズル２への溶鋼の流入を開始する。
【００１５】
このようにこの実施の形態では、バーナ７の燃焼ガスによってタンディッシュ１及びノズル２を予熱する際に、ゴミや埃等が侵入しやすいノズルストッパー１０の上端開口を傘部１３によって閉塞し、ゴミや埃等が比較的侵入しにくいノズルストッパー１０の外周部分に開口部１２を設けて該開口部１２から侵入した燃焼ガスによってノズル２を予熱するようにしているので、タンディッシュ１及びノズル２を予熱する際のノズル２の詰まりを良好に防止することができる。
【００１６】
なお、上記実施の形態では、ノズルストッパー１０の上端開口を閉塞する閉塞部として、ノズルストッパー１０と別体の傘部１３を用いた場合を例に採ったが、必ずしもこのようにする必要はなく、図２に示すように、ノズルストッパー１０の上端開口を閉塞する閉塞部１４をノズルストッパー１０と一体に形成するようにしてもよい。
【００１７】
また、ノズルストッパー１０を鋼製として使用する時は、閉塞部は耐火物製とすることにより、閉塞部を溶鋼上に浮上分離させ、閉塞部の巻き込みによるノズル２の閉鎖を阻止するようにすればよい。
【００１８】
【発明の効果】
上記の説明から明らかなように、本発明によれば、タンディッシュ内に溶鋼を注入する前にタンディッシュ及びノズルを予熱するに際して、ゴミや埃等が侵入しやすいノズルストッパーの上端開口を閉塞し、ゴミや埃等が比較的侵入しにくいノズルストッパーの外周部分に開口部を設けて該開口部から侵入した燃焼ガスによってノズルを予熱するようにしているので、ノズルの予熱が支障なく行える結果、該ノズルが詰まるのを良好に防止することができるという効果が得られる。
【図面の簡単な説明】
【図１】本発明の実施の形態の一例であるノズルストッパーを説明するための説明的断面図である。
【図２】ノズルストッパーの変形例を説明するための説明的断面図である。
【図３】従来のノズルストッパーを説明するための説明的断面図である。
【符号の説明】
１…タンディッシュ
２…ノズル
１０…ノズルストッパー
１２…開口部
１３…傘部（閉塞部）
【図１】
0004110650.tif 000002
【図２】
0004110650.tif 000003
【図３】
0004110650.tif 000004